(57)【要約】【課題】決済処理時のオペレーション負荷を軽減するための情報提供システム及び携帯端末を提供する。【解決手段】店舗Ｓに設けられた店舗端末７と、ビーコンＩＤを含む電波を発信するビーコン端末８と、ビーコン端末８が発信したビーコンＩＤを含む電波を受信する携帯端末１とを備えた情報提供システム１００であって、携帯端末１は、受信した電波に含むビーコンＩＤに基づき決定された店舗端末７で使用可能な決済方式を出力する情報出力部１７を備える。【選択図】図１
2017068580.tif 000002
【特許請求の範囲】
【請求項１】
決済用端末と、発信機識別情報を発信する情報発信機と、前記発信機識別情報を受信する携帯端末と、を備えた情報提供システムであって、
前記携帯端末は、
前記情報発信機が発信した発信機識別情報と前記決済用端末で使用可能な決済方式とを関連付けた発信機管理テーブルと、
受信した発信機識別情報から前記発信機管理テーブルを参照して前記決済用端末で使用可能な決済方式を特定し、特定した決済方式を出力する情報出力手段と、
を備えること、
を特徴とする情報提供システム。
【請求項２】
請求項１に記載の情報提供システムにおいて、
前記携帯端末は、ユーザの使用可能な決済方式を記憶するユーザ管理テーブルを備え、
前記携帯端末の前記情報出力手段は、前記ユーザ管理テーブルを参照してユーザが使用可能な決済方式のみを出力すること、
を特徴とする情報提供システム。
【請求項３】
請求項１又は請求項２に記載の情報提供システムにおいて、
前記携帯端末に対して通信可能に接続された店舗管理サーバを備え、
前記店舗管理サーバは、前記発信機管理テーブルを備え、
前記携帯端末は、前記発信機管理テーブルを受信する発信機管理情報受信手段を備えること、
を特徴とする情報提供システム。
【請求項４】
請求項１から請求項３までのいずれかに記載の情報提供システムにおいて、
前記決済方式には、優先順位が対応付けらており、
前記携帯端末の前記情報出力手段は、前記優先順位が分かる態様で前記決済方式を出力すること、
を特徴とする情報提供システム。
【請求項５】
請求項１から請求項４までのいずれかに記載の情報提供システムにおいて、
前記発信機管理テーブルは、日時情報、店舗情報及びユーザに対する特典に関する特典情報の少なくともいずれかに基づいて、前記決済方式に対する優先順位を決定する順位決定手段を備え、
前記携帯端末の前記情報出力手段は、前記優先順位が分かる態様で前記決済方式を出力すること、
を特徴とする情報提供システム。
【請求項６】
請求項１から請求項５までのいずれかに記載の情報提供システムにおいて、
前記携帯端末は、ユーザの使用可能な決済方式にて決済をする決済手段を備え、
前記決済用端末は、前記携帯端末から決済情報を受信して決済を行うこと、
を特徴とする情報提供システム。
【請求項７】
請求項１から請求項６までのいずれかに記載の情報提供システムを構成する携帯端末。
【発明の詳細な説明】
【技術分野】
【０００１】
本発明は、電波発信機を用いた情報提供システム及び携帯端末に関する。
【背景技術】
【０００２】
従来、店舗での決済が複数の決済方式（例えば、Ｓｕｉｃａ（登録商標）、Ｅｄｙ（登録商標）、クレジットカード等）に対応している場合に、ＰＯＳ（Ｐｏｉｎｔ  Ｏｆ  Ｓａｌｅｓ）端末等のレジスタにて決済受付を行う段階で、ＰＯＳ画面に複数の決済方式を表示して、客が決済方式を選択することが行われている（例えば、特許文献１）。
【先行技術文献】
【特許文献】
【０００３】
【特許文献１】特開２００９−１５７９５３号公報
【発明の概要】
【発明が解決しようとする課題】
【０００４】
特許文献１に記載のように、決済受付時に決済方式を選択する方法では、レジスタでのオペレーションが増えるため、決済処理に時間を要する原因になりうる。特に、客が並んでいる状態においては、決済処理のオペレーションを抑えて、決済処理にかかる時間を短縮させたいニーズがある。
【０００５】
本発明は、決済処理時のオペレーション負荷を軽減するための情報提供システム及び携帯端末を提供することを目的とする。
【課題を解決するための手段】
【０００６】
本発明は、以下のような解決手段により、前記課題を解決する。
第１の発明は、決済用端末と、発信機識別情報を発信する情報発信機と、前記発信機識別情報を受信する携帯端末と、を備えた情報提供システムであって、前記携帯端末は、前記情報発信機が発信した発信機識別情報と前記決済用端末で使用可能な決済方式とを関連付けた発信機管理テーブルと、受信した発信機識別情報から前記発信機管理テーブルを参照して前記決済用端末で使用可能な決済方式を特定し、特定した決済方式を出力する情報出力手段と、を備えること、を特徴とする情報提供システムである。
第２の発明は、第１の発明の情報提供システムにおいて、前記携帯端末は、ユーザの使用可能な決済方式を記憶するユーザ管理テーブルを備え、前記携帯端末の前記情報出力手段は、前記ユーザ管理テーブルを参照してユーザが使用可能な決済方式のみを出力すること、を特徴とする情報提供システムである。
第３の発明は、第１の発明又は第２の発明の情報提供システムにおいて、前記携帯端末に対して通信可能に接続された店舗管理サーバを備え、前記店舗管理サーバは、前記発信機管理テーブルを備え、前記携帯端末は、前記発信機管理テーブルを受信する発信機管理情報受信手段を備えること、を特徴とする情報提供システムである。
第４の発明は、第１の発明から第３の発明までのいずれかの情報提供システムにおいて、前記決済方式には、優先順位が対応付けらており、前記携帯端末の前記情報出力手段は、前記優先順位が分かる態様で前記決済方式を出力すること、を特徴とする情報提供システムである。
第５の発明は、第１の発明から第４の発明までのいずれかの情報提供システムにおいて、前記発信機管理テーブルは、日時情報、店舗情報及びユーザに対する特典に関する特典情報の少なくともいずれかに基づいて、前記決済方式に対する優先順位を決定する順位決定手段を備え、前記携帯端末の前記情報出力手段は、前記優先順位が分かる態様で前記決済方式を出力すること、を特徴とする情報提供システムである。
第６の発明は、第１の発明から第５の発明までのいずれかの情報提供システムにおいて、前記携帯端末は、ユーザの使用可能な決済方式にて決済をする決済手段を備え、前記決済用端末は、前記携帯端末から決済情報を受信して決済を行うこと、を特徴とする情報提供システムである。
第７の発明は、第１の発明から第６の発明までのいずれかの情報提供システムを構成する携帯端末である。
【発明の効果】
【０００７】
本発明によれば、決済処理時のオペレーション負荷を軽減するための情報提供システム及び携帯端末を提供することができる。
【図面の簡単な説明】
【０００８】
【図１】第１実施形態に係る情報提供システムの全体概要図である。
【図２】第１実施形態に係る情報提供システムを構成する各装置の機能ブロック図である。
【図３】第１実施形態に係る情報提供システムの情報提供処理を示すフローチャートである。
【図４】第１実施形態に係る管理サーバの記憶部に記憶された各テーブルの例を示す図である。
【図５】第１実施形態に係る携帯端末での表示例を示す図である。
【図６】第２実施形態に係る情報提供システムの全体概要図である。
【図７】第２実施形態に係る情報提供システムを構成する各装置の機能ブロック図である。
【図８】第２実施形態に係る携帯端末の記憶部に記憶されたプログラム内テーブル及びテーブルの例を示す図である。
【図９】第２実施形態に係る情報提供システムの情報提供処理を示すフローチャートである。
【発明を実施するための形態】
【０００９】
以下、本発明を実施するための形態について、図を参照しながら説明する。なお、これは、あくまでも一例であって、本発明の技術的範囲はこれに限られるものではない。
（第１実施形態）
＜情報提供システム１００の全体構成＞
図１は、第１実施形態に係る情報提供システム１００の全体概要図である。
図２は、第１実施形態に係る情報提供システム１００を構成する各装置の機能ブロック図である。
図１に示す情報提供システム１００は、携帯端末１と、管理サーバ４（店舗管理サーバ）と、決済サーバ６と、店舗端末７（決済用端末）と、ビーコン端末８（電波発信機）とを備えている。
携帯端末１は、基地局Ｂｓを介して通信ネットワークＮに接続可能である。また、携帯端末１は、ビーコン端末８の電波を受信可能である。そして、管理サーバ４と、決済サーバ６と、店舗端末７とは、通信ネットワークＮを介して接続可能になっている。
【００１０】
情報提供システム１００では、店舗Ｓの入口付近に、ビーコン端末８が設けられている。そして、携帯端末１を携行するユーザＰが、例えば、店舗Ｓに入店する段階で、ビーコン端末８が発信する電波（以下、ビーコン端末８が発信する電波を、ビーコン電波ともいう。）を携帯端末１が受信する。すると、携帯端末１は、管理サーバ４と通信して、店舗Ｓで利用可能な決済方式を出力する。
ここで、決済方式とは、決済サービスや決済手段をいい、例えば、クレジットカードによる決済や、電子マネーによる決済、ポイントを使用した決済等をいう。
これにより、ユーザＰは、店舗Ｓ内の店舗端末７を用いた購入品等の決済処理をする前に、携帯端末１に出力された情報によって、どの決済方式を使用するかを予め決めることができる。そして、ユーザＰは、店舗端末７での決済時には、ユーザＰが予め決めた決済方式によって、例えば、携帯端末１と、店舗端末７と、決済サーバ６とを使用して、購入品に対する決済処理を行うことができる。
【００１１】
＜携帯端末１＞
携帯端末１は、例えば、スマートフォンに代表されるコンピュータの機能を併せ持った携帯電話機等である。携帯端末１は、その他、タブレット端末等の携帯型の端末であってもよい。
携帯端末１は、ビーコン端末８との間で、例えば、Ｂｌｕｅｔｏｏｔｈ（登録商標）による近距離無線通信を行うことができる。また、携帯端末１は、無線通信の基地局Ｂｓと通信ネットワークＮとを介して、管理サーバ４との間で通信可能になっている。
なお、基地局Ｂｓは、携帯端末１と管理サーバ４との間の通信をするための中継を行う。基地局Ｂｓは、例えば、無線ＬＡＮ（Ｌｏｃａｌ  Ａｒｅａ  Ｎｅｔｗｏｒｋ）の基地局や、通信事業者の携帯端末通信網用の基地局等である。
また、通信ネットワークＮは、管理サーバ４と基地局Ｂｓとの間のネットワークであり、インターネット回線や携帯端末通信網等である。
【００１２】
図２（Ａ）に示すように、携帯端末１は、制御部１０と、記憶部２０と、タッチパネルディスプレイ２６と、Ｂｌｕｅｔｏｏｔｈアンテナ２７と、通信インタフェース部２９とを備える。
制御部１０は、携帯端末１の全体を制御する中央処理装置（ＣＰＵ）である。制御部１０は、記憶部２０に記憶されているオペレーティングシステム（ＯＳ）やアプリケーションプログラムを適宜読み出して実行することにより、上述したハードウェアと協働し、各種機能を実行する。
制御部１０は、電波受信部１１と、マスタカードＩＤ（ＩＤｅｎｔｉｆｉｅｒ）送信部１２と、ユーザ決済方式受信部１３と、ビーコンＩＤ送信部１４と、店舗決済方式受信部１５と、決済方式照合部１６と、情報出力部１７（情報出力手段）と、決済処理部１８（決済手段）とを備える。
【００１３】
電波受信部１１は、ビーコン端末８のビーコン電波を、Ｂｌｕｅｔｏｏｔｈアンテナ２７を介して受信する。
マスタカードＩＤ送信部１２は、マスタカードＩＤ記憶部２１に記憶されたマスタカードＩＤを、管理サーバ４に対して送信する。
ユーザ決済方式受信部１３は、管理サーバ４からマスタカードＩＤに対応付けられた決済方式を受信する。
ビーコンＩＤ送信部１４は、電波受信部１１が受信したビーコン電波に含まれるビーコンＩＤを、管理サーバ４に対して送信する。
店舗決済方式受信部１５は、管理サーバ４からビーコンＩＤに対応付けられた店舗Ｓでの決済方式を受信する。
決済方式照合部１６は、マスタカードＩＤに対応付けられたユーザ決済方式と、ビーコンＩＤに対応付けられた決済方式とを照合する。
情報出力部１７は、決済方式照合部１６による照合結果を、タッチパネルディスプレイ２６に表示させる。
決済処理部１８は、情報出力部１７での出力によって予めユーザＰが決めた決済方式による決済処理を行う。
なお、これらの各機能の詳細な説明については、後述する。
【００１４】
記憶部２０は、制御部１０が各種の処理を実行するために必要なプログラム、データ等を記憶するための半導体メモリ素子等の記憶領域である。
記憶部２０は、マスタカードＩＤ記憶部２１と、プログラム記憶部２２とを備える。
マスタカードＩＤ記憶部２１は、マスタカードＩＤを記憶する記憶領域である。マスタカードＩＤとは、マスタカードを特定する識別情報である。
ここで、マスタカードについて説明する。マスタカードは、複数の決済方式で使用可能なカードのカード媒体である。マスタカードは、例えば、プラスチックカードであり、マスタカードＩＤを記録している。マスタカードＩＤは、管理サーバ４において、複数の決済方式の各々のカード番号に対応付けられている。マスタカードＩＤは、例えば、バーコードとして有してもよいし、磁気や非接触ＩＣ（Ｉｎｔｅｇｒａｔｅｄ  Ｃｉｒｃｕｉｔ）に有していてもよい。
プログラム記憶部２２は、プログラム２２ａ等の各種のプログラムを記憶する記憶領域である。プログラム２２ａは、携帯端末１の制御部１０の各種機能を実行するためのプログラムである。プログラム２２ａは、例えば、通信ネットワークＮを介してアプリ配信サーバ（図示せず）に接続して、アプリ配信サーバからダウンロードし、予め携帯端末１にインストールされているものとする。
【００１５】
タッチパネルディスプレイ２６は、液晶パネル等で構成される表示部としての機能と、ユーザＰの指等によるタッチ入力を検出する入力部としての機能とを有する。
Ｂｌｕｅｔｏｏｔｈアンテナ２７は、ビーコン端末８との間でＢｌｕｅｔｏｏｔｈ規格に基づいて短距離無線通信が可能である。Ｂｌｕｅｔｏｏｔｈアンテナ２７は、受信したビーコン電波を、電波受信部１１に送る。
通信インタフェース部２９は、基地局Ｂｓ及び通信ネットワークＮを介して、管理サーバ４との通信を行うためのインタフェース部である。
なお、コンピュータとは、制御部、記憶装置等を備えた情報処理装置をいい、携帯端末１は、制御部１０、記憶部２０等を備えた情報処理装置であり、コンピュータの概念に含まれる。
【００１６】
＜管理サーバ４＞
管理サーバ４は、携帯端末１からマスタカードＩＤを受信し、マスタカードＩＤに基づいて携帯端末１で使用可能な決済方式を送信する。また、管理サーバ４は、携帯端末１からビーコンＩＤを受信し、ビーコンＩＤに基づいて店舗Ｓの店舗端末７で使用可能な決済方式を送信する。
図２（Ｂ）に示すように、管理サーバ４は、制御部４０と、記憶部５０と、通信インタフェース部５９とを備える。
制御部４０は、管理サーバ４の全体を制御するＣＰＵである。制御部４０は、記憶部５０に記憶されているＯＳやアプリケーションプログラムを適宜読み出して実行することにより、上述したハードウェアと協働し、各種機能を実行する。
制御部４０は、マスタカードＩＤ受信部４１と、ユーザ決済方式抽出部４２と、ユーザ決済方式送信部４３と、ビーコンＩＤ受信部４４と、店舗決済方式抽出部４５と、店舗決済方式送信部４６と、順位決定部４８（順位決定手段）とを備える。
【００１７】
マスタカードＩＤ受信部４１は、携帯端末１からマスタカードＩＤを受信する。
ユーザ決済方式抽出部４２は、ユーザ決済情報テーブル５１（ユーザ管理テーブル）を参照して、受信したマスタカードＩＤに対応する決済方式を抽出する。
ユーザ決済方式送信部４３は、ユーザ決済方式抽出部４２が抽出した決済方式を、携帯端末１に送信する。
ビーコンＩＤ受信部４４は、携帯端末１からビーコンＩＤを受信する。
店舗決済方式抽出部４５は、ビーコン管理テーブル５２（発信機管理テーブル）を参照して、受信したビーコンＩＤに対応する決済方式を抽出する。
店舗決済方式送信部４６は、店舗決済方式抽出部４５が抽出した決済方式を、携帯端末１に送信する。
順位決定部４８は、ビーコン管理テーブル５２に記憶されているビーコンＩＤごとに、ビーコンＩＤに対応する一以上の決済方式に対して順位付けをする。
なお、これらの各機能の詳細な説明については、後述する。
【００１８】
記憶部５０は、制御部４０が各種の処理を実行するために必要なプログラム、データ等を記憶するためのハードディスク、半導体メモリ素子等の記憶領域である。
記憶部５０は、ユーザ決済情報テーブル５１と、ビーコン管理テーブル５２と、店舗情報テーブル５３とを記憶している。
ユーザ決済情報テーブル５１は、マスタカードＩＤと決済方式とを対応付けたテーブルである。マスタカードＩＤには、一以上の決済方式が対応付けられている。
ビーコン管理テーブル５２は、ビーコンＩＤと、決済方式とを対応付けたテーブルである。ビーコンＩＤには、一以上の決済方式が対応付けられている。
店舗情報テーブル５３は、ビーコンＩＤを有するビーコン端末８が設置されている店舗Ｓに関する情報を記憶したテーブルである。
なお、各テーブルの詳細な説明については、後述する。
通信インタフェース部５９は、通信ネットワークＮを介して、携帯端末１との通信を行うためのインタフェース部である。
【００１９】
＜決済サーバ６＞
決済サーバ６は、決済方式ごと別サーバとして有し、各々決済処理を行う。図示しないが、決済サーバ６は、制御部、記憶部、通信インタフェース部等を備える。
＜店舗端末７＞
店舗端末７は、店舗Ｓ内に設けられ、決済処理で用いる、例えば、ＰＯＳ端末である。店舗端末７は、購入品の情報と、決済方式とを含む決済情報を受け付け、決済処理を行う。店舗端末７は、表示部７ａと入力部７ｂとリーダライタ７ｃとの他、図示していないが、制御部、記憶部、通信インタフェース部等を備える。
【００２０】
＜ビーコン端末８＞
ビーコン端末８は、電波を発信する端末である。
図２（Ｃ）に示すように、ビーコン端末８は、制御部８０と、記憶部８５と、電波送出部８７とを備える。
制御部８０は、ビーコン端末８の全体を制御するＣＰＵである。制御部８０は、記憶部８５に記憶されているＯＳやアプリケーションプログラムを適宜読み出して実行することにより、上述したハードウェアと協働し、各種機能を実行する。
記憶部８５は、制御部８０が各種の処理を実行するために必要なプログラム、データ等を記憶するための半導体メモリ素子等の記憶領域である。記憶部８５は、ビーコンＩＤを記憶している。ビーコンＩＤとは、ビーコン端末８を識別する識別情報である。
電波送出部８７は、制御部８０の制御によって、ビーコンＩＤを含む電波を送出する。電波送出部８７が送出する電波は、例えば、ＢｌｕｅｔｏｏｔｈのＣｌａｓｓ２に対応するものである。これは、例えば、ビーコン端末８を中心とした半径１０ｍ以内に携帯端末１が存在していれば、その携帯端末１で受信可能である。
【００２１】
＜情報提供システム１００の処理＞
次に、情報提供システム１００による処理を説明する。
図３は、第１実施形態に係る情報提供システム１００の情報提供処理を示すフローチャートである。
図４は、第１実施形態に係る管理サーバ４の記憶部５０に記憶された各テーブルの例を示す図である。
図５は、第１実施形態に係る携帯端末１での表示例を示す図である。
【００２２】
本処理の前提として、携帯端末１は、プログラム２２ａを実行中である。なお、携帯端末１は、ビーコン電波を受信したことを条件として、プログラム２２ａを実行してもよい。そのときには、携帯端末１の電波受信部１１は、携帯端末１に有する別プログラム（図示せず）により行われることになる。
【００２３】
携帯端末１を所持したユーザＰが、店舗Ｓに入店したことで、ビーコン端末８のビーコン電波の受信範囲内（ビーコン端末８からの距離が、例えば、１０ｍ以内）になったことに応じて、図３のステップＳ（以下、「Ｓ」という。）１０において、携帯端末１の制御部１０（電波受信部１１）は、ビーコン電波を受信する。そして、制御部１０は、ビーコン電波に含まれるビーコンＩＤを取得する。ビーコンＩＤは、例えば、図４（Ｂ）に示す「Ｂ０００１」等である。
Ｓ１１において、制御部１０は、マスタカードＩＤ記憶部２１からマスタカードＩＤを取得する。マスタカードＩＤは、例えば、図４（Ａ）に示す「Ｍ００００１」等である。
Ｓ１２において、制御部１０（マスタカードＩＤ送信部１２、ビーコンＩＤ送信部１４）は、マスタカードＩＤと、ビーコンＩＤとを管理サーバ４に対して送信する。
【００２４】
Ｓ２０において、管理サーバ４の制御部４０（マスタカードＩＤ受信部４１、ビーコンＩＤ受信部４４）は、携帯端末１から送信されたマスタカードＩＤと、ビーコンＩＤとを受信する。
Ｓ２１において、制御部４０（ユーザ決済方式抽出部４２）は、ユーザ決済情報テーブル５１を参照して、マスタカードＩＤに対応付けられた決済方式を取得する。
【００２５】
ここで、ユーザ決済情報テーブル５１について、図４（Ａ）に基づき説明する。
ユーザ決済情報テーブル５１は、マスタカードＩＤと、決済方式とを対応付けて記憶している。１つのマスタカードＩＤには、そのマスタカードＩＤのマスタカードを有するユーザＰが使用可能な決済方式が対応付けられている。ここで、決済方式は、どのような決済方式が使用可能であるかを表す。１つのマスタカードＩＤには、一以上の決済方式が対応付けられている。
例えば、制御部４０が、「Ｍ００００１」であるマスタカードＩＤを受信した場合には、制御部４０は、「Ａ社クレジット」と、「Ｂ社ポイント」との２つの決済方式を取得する。また、制御部４０が、「Ｍ００００２」であるマスタカードＩＤを受信した場合には、制御部４０は、「Ａ社クレジット」と、「Ｃ社クレジット」と、「Ｄ社ポイント」との３つの決済方式を取得する。
なお、この例では、理解しやすいように、「Ａ社クレジット」や「Ｂ社ポイント」と記載しているが、マスタカードＩＤに対応付けられた決済方式は、各決済方式を特定する特定情報であってもよい。また、ユーザ決済情報テーブル５１は、各決済方式に対応付けて、その決済方式で用いるカード番号等を対応付けて記憶してもよい。
【００２６】
図３に戻り、Ｓ２２において、制御部４０は、ビーコン管理テーブル５２を参照して、ビーコンＩＤに対応付けられた決済方式を取得する。
ここで、ビーコン管理テーブル５２について、図４（Ｂ）に基づき説明する。
ビーコン管理テーブル５２は、ビーコンＩＤと、店舗コードと、決済方式と、順位とを対応付けて記憶している。店舗コードは、店舗Ｓを識別する識別情報である。順位は、１つの店舗Ｓで複数の決済方式が使用可能な場合に、どの決済方式をユーザＰに勧めるかを示す指標になるものである。
例えば、制御部４０が、「Ｂ０００１」であるビーコンＩＤを受信した場合には、制御部４０は、「Ｂ社ポイント」と、「Ｃ社クレジット」と、「Ｄ社ポイント」との３つの決済方式を取得する。また、制御部４０が、「Ｂ０００２」であるビーコンＩＤを受信した場合には、制御部４０は、「Ａ社クレジット」の１つの決済方式を取得する。
【００２７】
図３に戻り、Ｓ２３において、制御部４０は、Ｓ２１で取得したマスタカードＩＤに対応する決済方式と、Ｓ２２で取得したビーコンＩＤに対応する決済方式とを、携帯端末１に対して送信する。なお、制御部４０は、送信する決済方式がいずれの情報（ビーコンＩＤ又はマスタカードＩＤ）に対応付けられているかに関する情報を含めて送信する。また、制御部４０は、ビーコンＩＤに対する決済方式に、順位に関する情報を対応付けて送信する。さらに、制御部４０は、店舗情報テーブル５３を参照して、該当の店舗Ｓの店舗情報を送信する。
図４（Ｃ）に示す店舗情報テーブル５３は、店舗コードと、店舗情報とを対応付けたテーブルである。店舗情報は、その店舗がどのような属性を有するかを示す情報であり、例えば、店舗Ｓの名称や、店舗Ｓの系列会社等に関する情報である。
その後、制御部４０は、本処理を終了する。
【００２８】
Ｓ１３において、携帯端末１の制御部１０は、マスタカードＩＤに対応する決済方式と、ビーコンＩＤに対応する決済方式と、店舗情報とを受信する。
Ｓ１４において、制御部１０は、受信したマスタカードＩＤに対応する決済方式と、ビーコンＩＤに対応する決済方式とを照合する。
Ｓ１５において、制御部１０（情報出力部１７）は、照合結果を、タッチパネルディスプレイ２６に表示させる。その後、制御部１０は、本処理を終了する。
【００２９】
ここで、携帯端末１のタッチパネルディスプレイ２６での表示例を説明する。
まず、図５（Ａ）は、ビーコン端末８のビーコンＩＤが「Ｂ０００１」の場合であって、マスタカードＩＤが「Ｍ００００１」の場合の携帯端末１Ａの表示例である。この携帯端末１を、携帯端末１Ａとして、以下に説明する。
この場合、図４（Ａ）に示す「Ｍ００００１」であるマスタカードＩＤの決済方式は、「Ａ社クレジット」と、「Ｂ社ポイント」であり、図４（Ｂ）に示す「Ｂ０００１」であるビーコンＩＤの決済方式は、「Ｂ社ポイント」と、「Ｃ社クレジット」と、「Ｄ社ポイント」である。よって、制御部１０は、照合結果として、「Ｂ社ポイント」のみが一致すると判定する。そこで、携帯端末１Ａは、「◎☆店」では「Ｂ社ポイント」が使用可能である旨を表示する。つまり、「Ｍ００００１」であるマスタカードＩＤのマスタカードを所有するユーザＰは、マスタカードを使用した決済では、「Ｂ社ポイント」のみをこの店舗Ｓの店舗端末７で使用可能である。
【００３０】
なお、決済処理をする場合には、ユーザＰは、携帯端末１Ａのタッチパネルディスプレイ２６Ａに表示された決済をするための「決済する」ボタン（図５（Ａ）参照）を選択する。そして、携帯端末１Ａを、店舗端末７のリーダライタ７ｃ（図１参照）に近づけて、携帯端末１Ａと、店舗端末７との間で、例えば、Ｂｌｕｅｔｏｏｔｈアンテナ２７を介して通信をすることで、携帯端末１Ａの制御部１０（決済処理部１８）は、店舗端末７に対して、マスタカードＩＤと、決済方式とを含む決済情報を送信する。そうすることで、店舗端末７では、店舗端末７に有する決済金額情報と、携帯端末１Ａから受信したマスタカードＩＤと、決済方式とを用い、管理サーバ４を介して、決済処理により特定した決済方式の決済サーバ６との間で決済処理を行うことができる。具体的には、管理サーバ４では、記憶部５０からマスタカードＩＤに対応する各決済方式で用いるカード番号を取得して、取得したカード番号と、店舗端末７から受信した決済金額情報とを、該当の決済サーバ６に対して送信することで、決済処理を行うことができる。
【００３１】
次に、図５（Ｂ）は、ビーコン端末８のビーコンＩＤが「Ｂ０００１」の場合であって、マスタカードＩＤが「Ｍ００００２」の場合の携帯端末１の表示例である。この携帯端末１を、携帯端末１Ｂとして、以下に説明する。
図４（Ａ）に示す「Ｍ００００２」であるマスタカードＩＤの決済方式は、「Ａ社クレジット」と、「Ｃ社クレジット」と、「Ｄ社ポイント」であり、図４（Ｂ）に示す「Ｂ０００１」であるビーコンＩＤの決済方式は、「Ｂ社ポイント」と、「Ｃ社クレジット」と、「Ｄ社ポイント」である。よって、制御部１０は、照合結果として、「Ｃ社クレジット」と、「Ｄ社ポイント」との２つの決済方式が一致すると判定する。そこで、携帯端末１Ｂは、「◎☆店」では「Ｃ社クレジット」と、「Ｄ社ポイント」とが使用可能である旨を表示する。また、順位が高い決済方式をユーザＰに勧めるべく、携帯端末１Ｂは、順位が高い決済方式を「オススメ」として表示する。ユーザＰは、携帯端末１Ｂに表示された情報から、どちらの決済方式を使用するかを選択できる。
【００３２】
そして、決済処理をする場合には、ユーザＰは、携帯端末１Ｂのタッチパネルディスプレイ２６Ｂに表示された決済をするための「決済する」ボタン（図５（Ｂ）参照）を選択する。その後、携帯端末１Ｂは、図５（Ｃ）に示す画面をタッチパネルディスプレイ２６Ｂに表示するので、ユーザＰは、いずれかの決済方式のボタンを選択する。そして、携帯端末１Ｂを、店舗端末７のリーダライタ７ｃ（図１参照）に近づけて、以降は、上述した図５（Ａ）と同様に処理を行う。
【００３３】
次に、店舗Ｓでの決済方式が複数ある場合に、それらの決済方式に順位付けを行う処理について説明する。
管理サーバ４は、ビーコン管理テーブル５２に記憶するビーコンＩＤに対応付けられた一以上の決済方式の順位付けを、適宜のタイミングで行う。
各決済方式では、例えば、決済サーバ６側の設定により、曜日や時間帯によって、付与するポイントが変わったり、還元率が変わったりする場合がある。そこで、管理サーバ４の制御部４０は、決済サーバ６からポイント付与率等の特典情報を受信した場合には、記憶部５０に受信した特典情報を記憶させる。そして、管理サーバ４の制御部４０（順位決定部４８）は、一以上の決済方式の順位を、ポイント付与率等が高いもの、つまり、ユーザＰにとって有利なものが上位になるように設定する。
また、店舗Ｓを運営する運営会社では、店舗Ｓと同じ系列の決済方式をより使用してもらいたいというニーズがある。その場合には、管理サーバ４の制御部４０（順位決定部４８）は、店舗情報テーブル５３（図４（Ｃ））を参照し、店舗情報に基づいて、同じ系列の決済方式の順位が上位になるように設定する。
【００３４】
このように、第１実施形態の情報提供システム１００によれば、以下のような効果がある。
（１）店舗Ｓに設置されたビーコン端末８が、ビーコンＩＤを含むビーコン電波を送出することで、携帯端末１は、ビーコンＩＤによってその店舗Ｓの店舗端末７で使用可能な決済方式を出力させることができる。よって、例えば、携帯端末１を携行したユーザＰが店舗Ｓに入店した際等、店舗端末７での決済処理を行うより前に、ユーザＰは、この店舗Ｓの店舗端末７でどの決済方式が使用可能であるかを把握できる。
その結果、店舗端末７を使用して、例えば、電子決済処理を行うときには、ユーザＰは、予めどの決済方式を用いるかを決定できているので、店舗端末７での処理時間が短縮できる。そして、店舗Ｓ側も、決済方式に関するオペレーションを行わずに済み、オペレーション負荷を減らすことができる。
【００３５】
（２）携帯端末１は、店舗Ｓの店舗端末７で使用可能な決済方式を管理サーバ４から取得するので、ビーコン端末８が発信する情報は、例えば、ビーコンＩＤ等、データ量の少ないものにできる。
また、管理サーバ４は、店舗Ｓの店舗端末７で使用可能な決済方式を有しているので、その店舗Ｓの店舗端末７での決済方式が変更になった際には、管理サーバ４のビーコン管理テーブル５２を更新すれば対応できるため、メンテナンスに優れたものにできる。
（３）店舗Ｓの店舗端末７で使用可能な決済方式に、順位を対応付けることで、店舗Ｓにおいて、上位に順位付けられた決済方式の使用を促すことができる。
管理サーバ４では、決済方式の順位を、例えば、特典情報や店舗情報に基づいて決定できる。そして、店舗Ｓの店舗端末７で使用可能な決済方式を管理サーバ４に有することで、管理サーバ４は、優先順位を順次変更できる。よって、店舗Ｓの店舗端末７での利用を促したい決済方式を、適宜提供できる。
【００３６】
（４）店舗Ｓの店舗端末７で処理可能な決済方式と、この携帯端末１で使用可能な決済方式とを照合し、照合結果に応じた決済方式を携帯端末１に出力する。よって、例えば、照合結果から出力する決済方式を一致したものにすることで、携帯端末１に出力された決済方式は、全てその店舗Ｓの店舗端末７で使用ができるものにできる。よって、ユーザＰは、出力された決済方式から決済処理で利用する決済方式を選択できる。
（５）携帯端末１は、マスタカードＩＤを管理サーバ４に送信して、マスタカードＩＤに対応付けられた決済方式を管理サーバ４から受信する。よって、携帯端末１には、マスタカードＩＤのみを記憶させておけばよく、マスタカードＩＤに対応付けられた各決済方式のカード番号等の情報を記憶しておく必要がない。よって、携帯端末１のセキュリティ性が向上する。
【００３７】
（第２実施形態）
第２実施形態では、管理サーバを有さない形態について説明する。なお、以降の説明において、上述した第１実施形態と同様の機能を果たす部分には、同一の符号又は末尾に同一の符号を付して、重複する説明を適宜省略する。
【００３８】
＜情報提供システム２００＞
図６は、第２実施形態に係る情報提供システム２００の全体概要図である。
図７は、第２実施形態に係る情報提供システム２００を構成する各装置の機能ブロック図である。
図８は、第２実施形態に係る携帯端末２０１の記憶部２２０に記憶されたプログラム内テーブル及びテーブルの例を示す図である。
図６に示す情報提供システム２００は、携帯端末２０１と、決済サーバ６と、店舗端末７と、ビーコン端末２０８とを備えている。
情報提供システム２００では、店舗２００Ｓの入口付近に、ビーコン端末２０８が設けられている。そして、携帯端末２０１を携行するユーザＰが店舗２００Ｓに入店する段階で、ビーコン端末２０８が発信する電波を携帯端末２０１が受信することで、店舗２００Ｓで利用可能な決済方式を出力する。
【００３９】
＜携帯端末２０１＞
図７（Ａ）に示すように、携帯端末２０１は、制御部２１０と、記憶部２２０と、タッチパネルディスプレイ２６と、Ｂｌｕｅｔｏｏｔｈアンテナ２７と、通信インタフェース部２９とを備える。
制御部２１０は、電波受信部２１１と、決済方式照合部２１６と、情報出力部１７と、決済処理部１８とを備える。
電波受信部２１１は、ビーコン端末８のビーコン電波を、Ｂｌｕｅｔｏｏｔｈアンテナ２７を介して受信する。後述するが、ビーコン電波には、店舗決済値を含む。
決済方式照合部２１６は、ユーザ決済方式テーブル２２３（ユーザ管理テーブル）と、店舗決済値から特定した店舗での決済方式とを照合する。
【００４０】
記憶部２２０は、プログラム記憶部２２２と、ユーザ決済方式テーブル２２３とを備える。
プログラム記憶部２２２は、プログラム２２２ａ等を記憶する記憶領域である。プログラム２２２ａは、携帯端末２０１の制御部２１０の各種機能を実行するためのプログラムである。プログラム２２２ａは、図８（Ａ）に示す店舗決済方式決定テーブルを、プログラム内に有している。
図８（Ａ）に示す店舗決済方式決定テーブルは、決済方式と、その決済方式に対応する決済値とを記憶するテーブルである。店舗決済方式決定テーブルを用いることで、携帯端末２０１は、決済値によって、決済方式が特定できる。
【００４１】
ユーザ決済方式テーブル２２３は、この携帯端末２０１で使用可能な決済方式を記憶するテーブルである。
図８（Ｂ）に示すように、ユーザ決済方式テーブル２２３は、決済方式と、カード番号とを対応付けたテーブルである。このユーザ決済方式テーブル２２３は、カード番号を有するため、セキュアな記憶領域に有してもよい。
【００４２】
＜ビーコン端末２０８＞
図７（Ｂ）に示すように、ビーコン端末２０８は、制御部８０と、記憶部２８５と、電波送出部８７とを備える。
記憶部２８５は、店舗決済値を記憶している。店舗決済値とは、店舗での決済方式を特定するための情報である。この例では、店舗決済値は、図８（Ａ）の店舗決済方式決定テーブルの決済値に対応する。
【００４３】
＜情報提供システム２００の処理＞
次に、情報提供システム２００による処理を説明する。
図９は、第２実施形態に係る情報提供システム２００の情報提供処理を示すフローチャートである。
ここで、本処理の前提は、第１実施形態（図３）と同様である。
携帯端末２０１を所持したユーザＰが、店舗２００Ｓに入店したことで、ビーコン端末２０８のビーコン電波の受信範囲内になったことに応じて、Ｓ２１０において、携帯端末２０１の制御部２１０（電波受信部２１１）は、ビーコン電波を受信する。そして、制御部２１０は、ビーコン電波に含まれる店舗決済値を取得する。
【００４４】
Ｓ２１１において、制御部２１０は、店舗決済値から店舗２００Ｓの店舗端末７での決済方式を取得する。
例えば、店舗決済値が、１４であった場合、１４は、８と４と２との合計値であるため、図８（Ａ）に示す店舗決済方式決定テーブルを参照すると、「Ｄ社ポイント」と、「Ｃ社クレジット」と、「Ｂ社ポイント」とが対応する。よって、制御部２１０は、「Ｄ社ポイント」と、「Ｃ社クレジット」と、「Ｂ社ポイント」とを取得する。
Ｓ２１２において、制御部２１０は、ユーザ決済方式テーブル２２３の決済方式と、Ｓ２１１で取得した決済方式とを照合する。
Ｓ２１３において、制御部２１０（情報出力部１７）は、照合結果を、タッチパネルディスプレイ２６に表示させる。その後、制御部２１０は、本処理を終了する。
【００４５】
例えば、携帯端末２０１が図８（Ｂ）に示すユーザ決済方式テーブル２２３を有する場合には、制御部２１０による照合の結果、一致するのは、「Ｄ社ポイント」と、「Ｃ社クレジット」である。よって、携帯端末２０１は、「Ｄ社ポイント」と、「Ｃ社クレジット」とが使用可能である旨を表示する。つまり、ユーザ決済方式テーブル２２３を有する携帯端末２０１のユーザＰは、「Ｄ社ポイント」と、「Ｃ社クレジット」とのいずれかをこの店舗２００Ｓで使用可能である。なお、表示方法は、第１実施形態と同様である。
【００４６】
このように、第２実施形態の情報提供システム２００によれば、以下のような効果がある。
（１）携帯端末２０１は、外部サーバと通信することなく、ビーコン端末２０８からビーコン電波を受信した場合に、その店舗２００Ｓで使用可能な決済方式を表示させることができる。よって、無線通信等が行えない場所等に携帯端末２０１がある場合であっても使用できる。
（２）携帯端末２０１は、この携帯端末２０１で使用可能な決済方式を取得するために、携帯端末２０１で使用可能な決済方式を、ユーザ決済方式テーブル２２３に記憶させることで、外部サーバと通信せずに済む。
（３）携帯端末２０１が有するユーザ決済方式テーブル２２３は、決済方式と、カード番号とが対応付けられているので、複数の決済方式をひとまとめにするマスタカードを有さなくても利用できる。
【００４７】
以上、本発明の実施形態について説明したが、本発明は上述した実施形態に限定されるものではない。また、実施形態に記載した効果は、本発明から生じる最も好適な効果を列挙したに過ぎず、本発明による効果は、実施形態に記載したものに限定されない。なお、上述した実施形態及び後述する変形形態は、適宜組み合わせて用いることもできるが、詳細な説明は省略する。
【００４８】
（変形形態）
（１）第１実施形態では、ビーコンＩＤを用いるものを説明し、管理サーバにビーコン管理テーブルを有するものを説明したが、これに限定されない。携帯端末は、ビーコン管理テーブルを管理サーバから受信する制御部（発信機管理情報受信手段）を備え、ビーコン管理テーブルを携帯端末に有するようにしてもよい。そして、ユーザの使用可能な決済方式を記憶するユーザ管理テーブルを、第２実施形態のように携帯端末に有するものにすれば、ビーコンＩＤを含むビーコン電波を受信する場合であっても、管理サーバとの通信を要さずに決済方式を表示できる。
その場合に、携帯端末に有するビーコン管理テーブルには、全てのビーコン端末に対する情報を有さなくてもよい。例えば、ビーコン管理テーブルに地域情報（例えば、都道府県等）を対応付けておき、携帯端末の位置情報又は携帯端末が受信したビーコンＩＤによって初回のみ管理サーバにアクセスし、携帯端末の位置に近い地域情報が対応付けられたビーコン管理テーブルを、携帯端末に記憶させるようにしてもよい。
【００４９】
（２）第１実施形態では、管理サーバが照合に必要な情報を携帯端末に送信し、携帯端末で照合をするものとして説明したが、これに限定されない。管理サーバで照合までを行い、照合結果を携帯端末に送信したり、照合結果により生成した画面データを携帯端末に送信したりするようにしてもよい。このようにすれば、携帯端末では、軽微な処理で済む。
（３）第１実施形態では、管理サーバは、決済方式の順位を、店舗情報や、決済サーバ側から受信した特典情報に基づいて決定するものを説明したが、これに限定されない。例えば、管理サーバは、決済サーバの負荷を考慮し、特定の日時では、ある決済サーバの使用を制限する等、日時情報に基づいて決済方式の順位を決定してもよい。また、管理サーバは、日時情報、店舗情報及び特典情報のうちの複数の情報に基づいて決定してもよい。
（４）第１実施形態では、マスタカードをカード媒体であるものとして説明したが、これに限定されない。例えば、携帯端末のアプリケーションプログラム内にカード情報を有するものであっても、同様に使用できる。
【００５０】
（５）第２実施形態では、決済方式を特定するために、店舗決済値として二進法の値を対応付けるものを例に説明したが、これに限定されない。ビーコン電波には、多少の情報を有することができるため、決済方式を特定可能な他の情報を利用してもよい。例えば、第１実施形態のユーザ決済情報テーブルのうち、該当のユーザの情報だけを、携帯端末に有するようにすればよい。
（６）各実施形態では、携帯端末には、照合結果として、携帯端末で使用可能な決済方式と、店舗端末で使用可能な決済方式とが一致した決済方式に関する情報を表示させるものとして説明したが、これに限定されない。例えば、照合結果から出力する決済方式を、一致不一致が分かる態様で一致したものと不一致のものとを出力してもよい。そうすることで、ユーザは、どの決済方式が使用できて、どの決済方式が携帯端末には有していないために使用できないのかを把握できる。
【００５１】
（７）各実施形態では、決済方式として、クレジット、ポイント、電子マネーを例に説明したが、これに限定されない。電子決済ではなく、現金での支払を推奨する店舗であれば、現金での支払を推奨するように表示してもよい。また、優先順位を付与する前提として、ポイント率のアップ以外であっても、ユーザにインセンティブを与えるものであればよく、例えば、クーポンを提供してもよい。
（８）各実施形態では、携帯端末が予めアプリ配信サーバに通信してプログラムをインストールするものとして説明したが、これに限定されない。例えば、店舗の入口に、端末用プログラムをインストールするためのキオクス端末を設置しておき、携帯情報端末との間で、Ｂｌｕｅｔｏｏｔｈによる通信を行ってインストールをしてもよい。
【符号の説明】
【００５２】
１，１Ａ，１Ｂ，２０１  携帯情報端末
４    管理サーバ
６    決済サーバ
７    店舗端末
８，２０８  ビーコン端末
１０，２１０  制御部
１１，２１１  電波受信部
１７  情報出力部
２０，２２０  記憶部
２１  マスタカードＩＤ記憶部
２２ａ，２２２ａ  プログラム
２６，２６Ａ，２６Ｂ  タッチパネルディスプレイ
２７  Ｂｌｕｅｔｏｏｔｈアンテナ
４０  制御部
４８  順位決定部
５０  記憶部
５１  ユーザ決済情報テーブル
５２  ビーコン管理テーブル
５３  店舗情報テーブル
８０  制御部
８５，２８５  記憶部
８７  電波送出部
１００，２００  情報提供システム
２２３  ユーザ決済方式テーブル
Ｂｓ    基地局
Ｎ    通信ネットワーク
Ｐ    ユーザ
Ｓ，２００Ｓ  店舗
【図１】
2017068580.tif 000003
【図２】
2017068580.tif 000004
【図３】
2017068580.tif 000005
【図４】
2017068580.tif 000006
【図５】
2017068580.tif 000007
【図６】
2017068580.tif 000008
【図７】
2017068580.tif 000009
【図８】
2017068580.tif 000010
【図９】
2017068580.tif 000011